(57)【特許請求の範囲】
【請求項１】
葉書主体部シートＭと、葉書主体部シートＭの一面側に折り重ね合わされ、葉書主体部シートＭの一面側の情報を被覆する被覆片と切取り部を介し連接している葉書補助片とからなる貼着シートＡと、葉書主体部シートＭの他面側に折り重ね合わされ、葉書主体部シートＭの他面側の情報を被覆する被覆片と切取り部を介し連接している葉書補助片とからなる貼着シートＢとからなり、葉書主体部シートＭと貼着シートＡおよび貼着シートＢの各葉書補助片との重ね合わせ面が剥離困難に強接着されてなり、貼着シートＡの被覆片と葉書主体部シートＭ、貼着シートＢの被覆片と葉書主体部シートＭとの各重ね合わせ面が、葉書主体部シートＭの表裏面に設けた剥離再接着可能な接着剤により剥離再接着可能に弱接着されてなると共に、貼着シートＡ側の葉書補助片の表出面に郵便はがき表示が設けられてなり、貼着シートＡの被覆片の表出面に往信宛先情報が設けられ、貼着シートＢの被覆片の剥離再接着可能な接着面に返信宛先情報が設けられてなることを特徴とする葉書。
【発明の詳細な説明】
【０００１】
【発明の属する技術分野】
葉書で情報を通知する際に、多くの情報を一時的に被覆積層化して送ることができると共に、同一葉書で往信、返信ができる往復葉書として使用する三つ折り型葉書に関するものである。
【０００２】
【従来の技術】
従来、葉書での通知量は、葉書の宛先面を除く表裏面の表面積に限られていたが、近年の郵便法の緩和環境下の親展化手段に相俟って、さらに通知情報量を少しでも増やすべく、定型葉書の重量規定（葉書の本体部は２ｇ以上で被覆片を含めて６ｇ以下）を逃れ、且つ葉書本体となる紙片には「郵便はがき」表示が必要であるという条件を守り、葉書の裏面だけでなく宛先が記載されている表面をも積層化して通知できるように、三つ折り紙片を折り重ね合わせて接着し形成した中紙片を葉書本体とした積層化葉書において、葉書本体となる中紙片には「郵便はがき」表示が必要なため、宛先面側の被覆片を一部切り欠いたり、窓用に切り抜いたりして、葉書本体となる中紙片に表示した「郵便はがき」表示が表出するようにし、定型葉書の重量規定および「郵便はがき」表示条件を満足させていた。この三つ折り葉書は、往信葉書としてしか使用されていなかった。
【０００３】
【発明が解決しようとする課題】
しかしながら、三つ折り紙片を折り重ね合わせ接着して形成した積層化葉書は、葉書本体の重量が２ｇ以上必要であるという定型葉書の重量規定から、積層化葉書を構成する一紙片当りの重量は、少なくとも２ｇ以上必要であり、表裏面を被覆する紙片を含めると６ｇ以上になるため、宛先面側の被覆片の一部切り欠いたり、窓用に切り抜いたりして総重量を減らすと共に、葉書本体となる中紙片に表示した「郵便はがき」の表示を表出するようにしたもので、限られた範囲の用紙重量の選択しかできないという不都合さと共に、積層化された葉書と同一の通知情報面積を有しつつ、再度葉書として使用できないという利便性に欠けていた。
【０００４】
【課題を解決するための手段】
葉書主体部シートＭと、葉書主体部シートＭの一面側に折り重ね合わせ、葉書主体部シートＭの一面側の情報を被覆する被覆片と切取り部を介し連接している葉書補助片とからなる貼着シートＡと、葉書主体部シートＭの他面側に折り重ね合わせ、葉書主体部シートＭの他面側の情報を被覆する被覆片と切取り部を介し連接している葉書補助片とからなる貼着シートＢとからなり、葉書主体部シートＭと貼着シートＡおよび貼着シートＢの各葉書補助片との重ね合わせ面を剥離困難に強接着し、貼着シートＡの被覆片と葉書主体部シートＭ、貼着シートＢの被覆片と葉書主体部シートＭとの各重ね合わせ面が、葉書主体部シートＭの表裏面に設けた剥離再接着可能な接着剤により剥離再接着可能に弱接着すると共に、貼着シートＡ側の葉書補助片の表出面に郵便はがき表示を設け、貼着シートＡの被覆片の表出面に往信宛先情報を設け、且つ貼着シートＢの被覆片の剥離再接着可能な接着面に返信宛先情報を設けたものである。
【０００５】
【発明の実施の形態】
次に、本発明を添付図面に基づき、詳細に説明する。図１は本発明の葉書を作成するための葉書シートの実施形態を形成する前の表面側平面展開説明図、図２は図１の裏面側平面展開説明図、図３は本発明の葉書の実施形態の斜視平面図、図４は図３のＸ−Ｘ線断面図、図５は図３のＹ−Ｙ線断面図、図６は本発明の実施形態の剥離展開状態説明図、図７は本発明の使用形態を示す平面斜視図である。
【０００６】
本発明の葉書１は、図３、図４、図５に示す如く、表面側に往信宛先情報７を有する被覆片２ａと郵便はがき表示６を有する葉書補助片３ａが切取り部４ａで連接してなる貼着シートＡと、葉書サイズ大の葉書主体部シートＭと、表面側に返信宛先情報８を有する被覆片２ｂと葉書補助片３ｂが切取り部４ｂで連接してなる貼着シートＢとの三シートが、貼着シートＡの往信宛先情報７側が表出するように、また貼着シートＢの返信宛先情報８側が被覆されるように折り部５ａ、５ｂを介して往信宛先情報７が表出し、返信宛先情報８が内面側に位置するようジグザグに折り重ね合わされてなり、被覆片２ａと被覆片２ｂは、葉書主体部シートＭの表裏面に設けられた剥離再接着可能な接着剤９で接着され、郵便はがき表示６を有する葉書補助片３ａと葉書補助片３ｂは、葉書主体部シートＭの表裏面上端部側に設けられた剥離困難な接着剤１０で強固に接着されている。
【０００７】
上述の構成からなる葉書１は、葉書主体部シートＭと葉書主体部シートＭに剥離困難に接着されている二つの葉書補助片３ａ、３ｂを合わせて葉書本体を形成するため、葉書主体部シートＭの重量が２ｇ以下であっても二つの葉書補助片３ａ、３ｂの重量を加えて容易に規定重量に調整できるので、葉書１の全体の重量が６ｇ以下となるように調整するのに、従来の葉書本体を構成する中紙片に表示した「郵便はがき」の表示を表出するために、宛先面側の被覆紙片を一部切り欠いたり、窓用に切り抜いたりしなくてもよいものである。
【０００８】
次に、図１、図２に基づき本発明の葉書１を形成する前の葉書用シート５０について、葉書をアンケート調査用として使用する場合について説明する。葉書用シート５０は、葉書サイズ大の葉書主体部シートＭの左右両端側に、略同一大の貼着シートＡと貼着シートＢを折り部５ａ、５ｂを介して連接したものである。
【０００９】
貼着シートＡの表面側には、アンケート記入者の送り先である往信宛先情報７および適宜な情報を表示する情報領域Ｐ１を有する被覆片２ａと、その上端側に切取り部４ａを介して郵便はがき表示６を表示した葉書補助片３ａが連接して設けられており、被覆片２ａの裏面側には、情報領域Ｐ２が設けられている。
【００１０】
貼着シートＢの表面側には、アンケート依頼者の送り先である返信宛先情報８および適宜な情報を表示する情報領域Ｐ５を有する被覆片２ｂと、その上端側に切取り部４ｂを介して葉書補助片３ｂが連接して設けられており、被覆片２ｂの裏面側には、情報領域Ｐ６が設けられている。
【００１１】
貼着シートＡと貼着シートＢの中央に位置する葉書主体部シートＭの表裏面には、葉書本体を構成するための前記葉書補助片３ａ、３ｂを接着する強接着部１１ａ，１１ｂおよび前記被覆片２ａ、２ｂを接着する弱接着部１２ａ，１２ｂとを有し、前記弱接着部１２ａ，１２ｂには、それぞれ情報領域Ｐ４、Ｐ３が設けられている。
【００１２】
次に、このアンケート調査用の葉書１の使い方について説明する。図１、図２に示すように折り部５ａ、５ｂで連接した三つのシートで構成された葉書用シート５０に、手書き、プリンタ等の適宜な手段によって、貼着シートＡの情報領域Ｐ１には、アンケート記入者の宛先である往信宛先情報７と適宜な通信情報を、貼着シートＢの情報領域Ｐ５には、アンケート依頼者の宛先である返信宛先情報８と適宜な通信情報を印字する。なお、貼着シートＡの情報領域Ｐ２には、挨拶兼お願い１４が、貼着シートＢの情報領域Ｐ６には、アンケート回答欄１５が、さらに葉書主体部シートＭの表裏面には、アンケート質問１３ａ、１３ｂが前もって印刷されているものである。
【００１３】
次に、所定の情報が表示された前記葉書用シート５０シートを、図３、図４、図５に示す如く、貼着シートＡの往信宛先情報７が表出し、貼着シートＢの返信宛先情報８が被覆されるように折り部５ａ、５ｂにより、葉書主体部シートＭの表裏面にジグザグに折り重ね合わせ、被覆片２ａ、２ｂは剥離再接着可能な接着剤９で剥離可能に接着し、また葉書補助片３ａ、３ｂは剥離困難な接着剤１０で剥離困難に接着するものである。この接着に際して各接着剤は、所定の情報をシートに印字後、葉書主体部シートＭの表裏面に設けることが好ましい。
【００１４】
なお、剥離再接着可能な接着剤９は、弱粘性の接着剤を単独に使用するものの他、透視可能なフィルムの一方の面には弱粘性の接着剤が塗布され、他方の面には強粘性の接着剤が塗布された接着剤基材で構成してもよい。
【００１５】
また、貼り合わせ面を強固に接着するための剥離困難な接着剤１０を単独に使用するものの他、透視可能なフィルムの両面に強粘性の接着剤が塗布された基材を介してもよいものである。
【００１６】
アンケート調査用の葉書１の使用に際しては、図３の葉書１を郵便ポストに投函してアンケートの記入者宛てに送付すると、受け取ったアンケート記入者は、図６に示す如く、貼着シートＡの被覆片２ａと貼着シートＢの被覆片２ｂを葉書主体部シートＭから剥離する。この際、郵便はがき表示６を表示した葉書補助片３ａは、切取り部４ａから切離され、葉書補助片３ｂは、切取り部４ｂから切離され、葉書主体部シートＭの表裏面に合体されて葉書本体を形成するものである。
【００１７】
次に、郵送時に被覆されていた挨拶兼お願い文１４および葉書主体部シートＭの表裏面に印刷されているアンケート質問１３ａ、１３ｂを読んで、郵送時に表出していた被覆片２ｂのアンケート回答欄１５に回答を記入し、図７に示す如く、今度は前回郵送時に被覆されていた被覆片２ｂのアンケート依頼者の宛先である返信宛先情報８を表出し、回答記入したアンケート回答欄１５を被覆するように折り部５ｂで逆方向に折り返し、また前回郵送時に被覆されていた被覆片２ａの挨拶兼お願い文１４を表出し、アンケート記入者の宛先である往信宛先情報７を被覆するように折り部５ａで逆方向に折り返し、葉書主体部シートＭの表裏面に設けられている剥離可能な接着剤９で、再び剥離可能に接着して郵便ポストに投函するものである。
【００１８】
この葉書１は、被覆片２ａと被覆片２ｂを折り部５ａ、５ｂでそれぞれ逆方向に折り返しも、常に郵便はがき表示６の下部に宛先が表示されるようになっているため、また二つの葉書補助片３ａ、３ｂによって葉書本体としての規定重量に調整することが容易にでき、同一葉書でもって往信と返信の二度に渡って郵便はがきとして郵送することができるものである。
【００１９】
【発明の効果】
以上説明した如く、本発明の葉書は、葉書の葉書本体を構成する葉書サイズ大の葉書主体部シートの上端部表裏面に、郵便はがき表示を有する葉書補助片と有しない葉書補助片とを剥離困難に接着し、葉書本体の重量規定の調整を容易にできるようにしたと共に、二つの各被覆片の折り返し方向を変えることにより、二つの宛先を別々に表示し、剥離後も再貼着することができるため、同じ通知面積を有しながら二度に渡る葉書としての使用が可能となり、利便性を付与できるという効果を奏する。
【図面の簡単な説明】
【図１】本発明の葉書を形成する前の葉書用シートの表面側平面展開説明図。
【図２】図１の裏面側平面展開説明図。
【図３】本発明の実施形態の斜視平面図。
【図４】図３のＸ−Ｘ線断面図。
【図５】図３のＹ−Ｙ線断面図。
【図６】本発明の実施形態の剥離展開状態説明図。
【図７】本発明の使用状態を示す平面斜視図。
【符号の説明】
Ｍ  葉書主体部シート
Ａ、Ｂ  貼着シート
Ｐ１、Ｐ２、Ｐ３、Ｐ４、Ｐ５、Ｐ６  情報領域
１  葉書
２ａ、２ｂ  被覆片
３ａ、３ｂ  葉書補助片
４ａ、４ｂ  切取り部
５ａ、５ｂ  折り部
６  郵便はがき表示
７  往信宛先情報
８  返信宛先情報
９  剥離再接着可能な接着剤
１０  剥離困難な接着剤
１１ａ、１１ｂ  強接着部
１２ａ、１２ｂ  弱接着部
１３ａ、１３ｂ  アンケート質問
１４  挨拶兼お願い文
１５  アンケート回答欄
５０  葉書用シート
【図１】
0003717012.tif 000002
【図２】
0003717012.tif 000003
【図３】
0003717012.tif 000004
【図４】
0003717012.tif 000005
【図５】
0003717012.tif 000006
【図６】
0003717012.tif 000007
【図７】
0003717012.tif 000008